(57)【要約】【課題】  無線通信を行う無線端末装置Ａ１で、外部記憶媒体Ａ２から所定の情報を入力して通信処理を行うに際して、当該所定の情報を効果的に管理する。【解決手段】  外部記憶媒体と着脱自在に接続することが可能な外部記憶媒体接続部と、外部記憶媒体接続部に接続された外部記憶媒体に記憶された所定の情報を入力して記憶する所定情報記憶手段３と、外部記憶媒体接続部に接続された外部記憶媒体が非接続な状態となったことを検出する外部記憶媒体非接続状態検出手段６と、外部記憶媒体非接続状態検出手段６により外部記憶媒体接続部に接続された外部記憶媒体が非接続な状態となったことを検出した場合には所定情報記憶手段３に記憶された所定の情報が使用不可となる状態とする所定情報使用不可制御手段７を備えた。【選択図】  図１
2005151339.tif 000002
【特許請求の範囲】
【請求項１】
無線通信を行う無線端末装置において、
外部記憶媒体と着脱自在に接続することが可能な外部記憶媒体接続部と、
外部記憶媒体接続部に接続された外部記憶媒体に記憶された所定の情報を入力して記憶する所定情報記憶手段と、
外部記憶媒体接続部に接続された外部記憶媒体が非接続な状態となったことを検出する外部記憶媒体非接続状態検出手段と、
外部記憶媒体非接続状態検出手段により外部記憶媒体接続部に接続された外部記憶媒体が非接続な状態となったことを検出した場合には、所定情報記憶手段に記憶された所定の情報が使用不可となる状態とする所定情報使用不可制御手段と、
を備えたことを特徴とする無線端末装置。
【発明の詳細な説明】
【技術分野】
【０００１】
本発明は、無線通信を行う無線端末装置に関し、特に、外部の記憶媒体から所定の情報を入力して通信処理を行うに際して、当該所定の情報を効果的に管理する無線端末装置に関する。
【背景技術】
【０００２】
例えば、ＩＣ（Integrated Circuit）カードにより加入者識別情報を付与する移動体通信端末装置が知られており、一例として、社団法人である電波産業会が策定する標準規格ＡＲＩＢ  ＲＣＲ  ＳＴＤ−２７では、接触型のＩＣカードによる移動機と加入者情報モジュールとの間のインタフェースに関して示されている。
なお、ＩＣカード等の外部記憶媒体から加入者識別情報を付与する方法では、移動体通信端末装置において当該移動体通信端末装置のプログラムを格納する不揮発性メモリとは別にＩＣカード等への電源供給やクロック供給を行う処理部が必要となり、例えば、ＩＣカード等を用いずに、移動体通信端末装置のプログラム格納領域と同じ不揮発性メモリに加入者識別情報を格納するような場合と比べて、消費電流が増大する。これについては、例えば、ＩＣカードへの電源供給を制御する電子機器が検討等されている（例えば、特許文献１参照。）。
また、ＩＣカードとしては、例えば、薄型化のために、当該ＩＣカード自体の内部には駆動電源を有せずに端末側から電力の供給を受けて動作するようなものも知られている。なお、ＩＣカードの内部で揮発性メモリを使用するような場合には、ＩＣカードにバックアップ用の電池を設けて、端末側からの電力供給が停止されたときでも当該揮発性メモリの記憶内容を保持するような構成が用いられることもある。
【０００３】
【特許文献１】特開平７−１０４９００号公報
【発明の開示】
【発明が解決しようとする課題】
【０００４】
例えば、加入者識別情報を移動体通信端末装置の揮発性メモリに読み込んで使用するような場合には、当該移動体通信端末装置の電源をオンにしたままＩＣカードの電源をオフとするようなことが可能である。
しかしながら、このようなＩＣカードを移動体通信端末装置から取り外して他の移動体通信端末装置に接続することができる場合には、同一の加入者識別情報を使用可能に有する移動体通信端末装置が複数存在するという不整合が生じてしまう。
本発明は、このような従来の事情に鑑み為されたもので、外部の記憶媒体から所定の情報を入力して通信処理を行うに際して、当該所定の情報を効果的に管理することができる無線端末装置を提供することを目的とする。更に具体的には、本発明は、例えば、同一の加入者識別情報等を使用可能に有する無線端末装置が複数存在するという不整合が生じてしまうことを防止することが可能な無線端末装置を提供することを目的とする。
【課題を解決するための手段】
【０００５】
上記目的を達成するため、本発明に係る無線端末装置では、無線通信を行う無線通信手段と、外部の記憶媒体（外部記憶媒体）と着脱自在に接続することが可能な外部記憶媒体接続部を備えた構成において、次のような処理を行う。
すなわち、所定情報記憶手段が外部記憶媒体接続部に接続された外部記憶媒体に記憶された所定の情報を入力して記憶し、外部記憶媒体非接続状態検出手段が外部記憶媒体接続部に接続された外部記憶媒体が非接続な状態となったことを検出し、そして、所定情報使用不可制御手段が、外部記憶媒体非接続状態検出手段により外部記憶媒体接続部に接続された外部記憶媒体が非接続な状態となったことを検出した場合には、所定情報記憶手段に記憶された所定の情報が使用不可となる状態とする。
従って、外部記憶媒体接続部に接続された外部記憶媒体に記憶された所定の情報が記憶された後に、当該外部記憶媒体が非接続な状態となった場合には、当該記憶された所定の情報が使用不可な状態とされるため、例えば、外部記憶媒体から所定の情報を入力して通信処理を行うに際して、当該所定の情報を効果的に管理することができる。これにより、例えば、同一の加入者識別情報等（所定の情報）を使用可能に有する無線端末装置が複数存在するという不整合が生じてしまうことを防止することができる。
【０００６】
ここで、無線端末装置としては、種々なものが用いられてもよく、例えば、携帯電話システムや簡易型携帯電話システム（ＰＨＳ：Personal Handy phone System）などの移動体通信システムの端末装置（移動体通信端末装置）などを用いることができる。
また、無線通信としては、種々な通信が行われてもよく、例えば、音声や画像やテキストなどの種々なメディア情報の通信や、位置登録のための通信などを行うことができる。
また、外部記憶媒体としては、種々なものが用いられてもよく、例えば、所定の情報を記憶するメモリなどの記憶手段を備えた記憶媒体を用いることができ、一例として、ＩＣカードやＳＩＭ（Subscriber Identity Module）カードのようなカード状の記憶媒体を用いることができる。
また、所定の情報としては、種々な情報が用いられてもよく、例えば、移動体通信などの無線通信に必要な情報が用いられ、具体例として、移動体通信などの無線通信の加入者識別情報などの情報を用いることができる。なお、加入者識別情報は、例えば、移動体通信などの無線通信を利用する加入者を識別するための情報である。
また、所定情報記憶手段としては、例えば、情報を記憶するメモリを用いて構成することができ、メモリとしては揮発性メモリなどを用いることができる。
【０００７】
また、外部記憶媒体と着脱自在に接続することが可能な外部記憶媒体接続部としては、種々なものが用いられてもよく、例えば、外部記憶媒体を挿入することなどにより当該外部記憶媒体と接続した状態（“着”の状態）となり、当該外部記憶媒体を抜き出すことなどにより当該外部記憶媒体と非接続な状態（“脱”の状態）となるような構造のものを用いることができる。
また、外部記憶媒体非接続状態検出手段としては、例えば、機構的な仕方で検出を行うようなものが用いられてもよく、或いは、接続された外部記憶媒体からの信号受信や、接続された外部記憶媒体との通信により、検出を行うようなものが用いられてもよい。
また、所定情報使用不可制御手段により所定情報記憶手段に記憶された所定の情報が使用不可となる状態とする態様としては、種々な態様が用いられてもよく、例えば、所定情報記憶手段に記憶された所定の情報を当該所定情報記憶手段から消去する態様を用いることができ、或いは、所定情報記憶手段に記憶された所定の情報を使用する処理が行われないようにする態様を用いることができる。
【０００８】
また、本発明に係る無線端末装置では、一構成例として、外部記憶媒体接続部に接続された外部記憶媒体に対する電源供給に関する制御を行う電源供給制御手段を備える。電源供給制御手段は、例えば、接続された外部記憶媒体の電源のオン／オフを切り替えることや、外部記憶媒体とのインタフェースの電源のオン／オフを切り替えることを行う。
また、本発明に係る無線端末装置では、一構成例として、電源供給制御手段による制御により省電力のための制御を行う省電力制御手段を備える。
また、本発明に係る無線端末装置では、具体的な構成例として、更に、外部記憶媒体接続部に外部記憶媒体が接続された状態であることを検出する外部記憶媒体接続状態検出手段や、接続された外部記憶媒体との間で情報を通信する外部記憶媒体情報通信手段や、ユーザや他の装置などの外部からの指示や情報を受け付ける外部指示情報受付手段を備える。
【発明の効果】
【０００９】
以上説明したように、本発明に係る無線端末装置によると、例えば、外部記憶媒体接続部に接続された外部記憶媒体に記憶された所定の情報を記憶機能により記憶して、当該所定の情報を使用して無線通信を行うに際して、当該外部記憶媒体が非接続な状態となったことを検出した場合には、当該記憶機能に記憶された所定の情報が使用不可となる状態とするようにしたため、例えば、同一の所定の情報を使用可能に有する無線端末装置が複数存在するという不整合が生じてしまうことを防止することができる。
【発明を実施するための最良の形態】
【００１０】
本発明に係る一実施例を図面を参照して説明する。
図１には、本発明の一実施例に係る無線端末装置である移動体通信端末装置Ａ１の構成例及び外部記憶媒体Ａ２の一例を示してある。
本例では、外部記憶媒体Ａ２として、接触型のＩＣカードが用いられている。なお、他の構成例として、外部記憶媒体Ａ２として、ＳＩＭカードなどを用いることも可能である。
本例の移動体通信端末装置Ａ１は、図１にハードウエア構成が示されるように、アンテナ１と、無線部２と、記憶部３と、ユーザインタフェース部４と、カードインタフェース部５と、カード検出スイッチ（カード検出ＳＷ）６と、制御部７を備えて構成されている。
【００１１】
まず、本例の移動体通信端末装置Ａ１の各処理部１〜７により行われる動作の一例を示す。
アンテナ１は、無線信号を送信や受信する。
無線部２は、アンテナ１から信号を無線により送信するための処理や、アンテナ１により無線受信された信号の受信処理を行う。なお、本例では、無線部２による無線通信（無線送信や無線受信）により、例えば、発信や着信によるパケット通信、データ通信、音声通話（音声通信）、位置登録のための通信などを行う。
記憶部３は、制御部７により使用される処理プログラムなどを記憶する。
ユーザインタフェース部４は、外部のユーザなどから移動体通信端末装置Ａ１の制御に関する指示や情報を入力することや、外部のユーザなどに対して移動体通信端末装置Ａ１からの通知情報を出力することを行う。
カードインタフェース部５は、外部記憶媒体Ａ２の電源を制御することや、外部記憶媒体Ａ２との間の入出力を制御することを行う。具体的には、接続された外部記憶媒体Ａ２に対する電源の供給をオン或いはオフへ切り替えることや、接続された外部記憶媒体Ａ２から信号を入力することや、接続された外部記憶媒体Ａ２へ信号を出力することを行う。
カード検出ＳＷ６は、移動体通信端末装置Ａ１に対する外部記憶媒体Ａ２の接続状態を機械的に認識して、当該認識結果を電気信号として制御部７へ通知する。具体的には、例えば、外部記憶媒体Ａ２がカードインタフェース部５と接続された状態と接続されていない状態とをスイッチのオンとオフ（或いは、オフとオン）により検出し、当該検出結果を制御部７へ出力する。
制御部７は、通信に伴なう信号処理や、移動体通信端末装置Ａ１全体の制御を行う。
【００１２】
次に、図２を参照して、本例の移動体通信端末装置Ａ１の電源がオン（ＯＮ）へ切り替えられたときにおいて、当該移動体通信端末装置Ａ１により行われる処理の手順の一例を示す。
例えば、ユーザインタフェース部４から入力される外部制御により移動体通信端末装置Ａ１の電源が投入されると（ステップＳ１）、当該電源投入の後に、移動体通信端末装置Ａ１は、カード検出ＳＷ６により、機械的に外部記憶媒体Ａ２（本例では、ＩＣカード）の検出を行う（ステップＳ２）。
ここで、カード検出ＳＷ６により、外部記憶媒体Ａ２がカードインタフェース部５と接続されていることが検出された場合には、制御部７によりカードインタフェース部５を介して、当該外部記憶媒体Ａ２に対して電源を投入する（ステップＳ３）。
このようにして、接続された外部記憶媒体Ａ２の電源が投入された後に、移動体通信端末装置Ａ１は、制御部７によりカードインタフェース部５を介して、当該外部記憶媒体Ａ２から送出される応答に基づいて当該外部記憶媒体Ａ２の存在を検出することを試みる（ステップＳ４）。
これにより、当該外部記憶媒体Ａ２の存在が検出された場合には、つまり、当該外部記憶媒体Ａ２からの応答があった場合には、制御部７によりカードインタフェース部５を介して、当該外部記憶媒体Ａ２の内部に記憶されたデータにアクセスして、通信に必要な情報が記憶内容として含まれている外部記憶媒体であるか否かを識別する（ステップＳ５）。なお、本例では、通信に必要な情報として、加入者識別情報等の加入者情報が用いられ、ここで、加入者情報としては、例えば、加入者識別情報のみが用いられてもよく、或いは、加入者識別情報と共に他の情報が用いられてもよい。
【００１３】
ここで、当該外部記憶媒体Ａ２の記憶部に加入者情報が記憶されていることを識別した場合には、必要に応じて、制御部７により、ＰＩＮ（Personal Identification Number：暗証番号）の情報をユーザインタフェース部４から入力して照合を行う（ステップＳ６）。
これにより、ＰＩＮの照合に成功した場合には、制御部７により、当該照合に成功したＰＩＮの情報を、移動体通信端末装置Ａ１内のメモリである記憶部３に保存する（ステップＳ７）。
更に、続けて、制御部７によりカードインタフェース部５を介して、当該外部記憶媒体Ａ１の内部のデータへのアクセスを行って、当該外部記憶媒体Ａ１の記憶部に記憶されたカードの製造番号（カードＳ／Ｎ）の情報を読み出して移動体通信端末装置Ａ１内のメモリである記憶部３に保存するとともに（ステップＳ８）、当該外部記憶媒体Ａ１の記憶部に記憶された加入者識別情報等の加入者情報を読み出して移動体通信端末装置Ａ１内のメモリである記憶部３に保存する（ステップＳ９）。
このようにして、接続された外部記憶媒体Ａ１からのデータの読み出しが完了すると、通信を許可する状態となり（ステップＳ１０）、制御部７により、通信が可能である旨をユーザインタフェース部４から外部へ通知する（ステップＳ１１）。
【００１４】
一方、上記した一連の処理において、外部記憶媒体Ａ２が非検出であった（つまり、外部記憶媒体Ａ２が検出されなかった）場合や（ステップＳ２）、外部記憶媒体Ａ２から非応答であった（つまり、外部記憶媒体Ａ２からの応答が無かった）場合や（ステップＳ４）、外部記憶媒体Ａ２に通信に必要な情報（本例では、加入者情報）が記憶されていなかった場合には（ステップＳ５）、通信を不許可とする（つまり、許可しない）状態となり（ステップＳ１２）、制御部７により、通信が不可能である旨をユーザインタフェース部４から外部へ通知する（ステップＳ１１）。
なお、本例では、ＰＩＮに関する処理（ステップＳ６、ステップＳ７）を行う処理手順を示したが、例えば、ＰＩＮは外部記憶媒体Ａ２であるＩＣカード等の設定により無効にすることが可能であるため、無効である場合には、ＰＩＮに関する処理（ステップＳ６、ステップＳ７）は省略される。また、以降で示す処理においても、同様であり、ＰＩＮに関する処理（ステップＳ２２、ステップＳ３５）が省略されてもよい。
【００１５】
次に、図３を参照して、本例の移動体通信端末装置Ａ１において省電力モードが設定されるときにおいて、当該移動体通信端末装置Ａ１により行われる処理の手順の一例を示す。なお、本例では、省電力モードでは、接続された外部記憶媒体Ａ２の電源やカードインタフェース部５の電源をオフとして省電力化を図る。
例えば、ユーザインタフェース部４から入力される外部制御により、移動体通信端末装置Ａ１は、省電力モードへ移行する処理を開始する（ステップＳ２１）。
ここで、ＰＩＮ照合が終了していない場合には、ＰＩＮ照合が終了するまで、省電力モードへは移行せず（ステップＳ２２）、一方、ＰＩＮ照合が終了している場合には、制御部７により、移動体通信端末装置Ａ１が通信中であるか否かを判定する（ステップＳ２３）。
これにより、通信中であることを判定した場合には、通信が終了するまで、省電力モードへは移行せず、一方、非通信状態（つまり、通信していない状態）であることを判定した場合には、制御部７によりカードインタフェース部５を介して、接続された外部記憶媒体Ａ２への電源供給を制御して、当該外部記憶媒体Ａ２の電源をオフ（ＯＦＦ）とする（ステップＳ２４）。
なお、本例では、通信としては、例えば、発信や着信によるパケット通信、データ通信、音声通話（音声通信）の他に、位置登録のための通信も含まれる。
【００１６】
次に、図４を参照して、本例の移動体通信端末装置Ａ１において省電力モードの設定が解除されるときにおいて、当該移動体通信端末装置Ａ１により行われる処理の手順の一例を示す。
例えば、移動体通信端末装置Ａ１は、省電力モードが設定されているときにおいて、ユーザインタフェース部４から入力される外部制御や、着信や、位置登録を必要とするエリア変更（移動体通信端末装置Ａ１が存在するエリアの変更）を契機（トリガ）として、省電力モードを解除する処理を開始する（ステップＳ３１）。
すなわち、制御部７によりカードインタフェース部５を介して、接続された外部記憶媒体Ａ２の電源をオンとし（ステップＳ３２）、当該電源投入後に、制御部７によりカードインタフェース部５を介して、当該外部記憶媒体Ａ２から送出される応答に基づいて当該外部記憶媒体Ａ２の検出を行う（ステップＳ３３）。
これにより、当該外部記憶媒体Ａ２が検出された場合には、つまり、当該外部記憶媒体Ａ２からの応答があった場合には、制御部７によりカードインタフェース部５を介して、通信に必要な情報（本例では、加入者情報）が記憶内容として含まれている外部記憶媒体であるか否かを識別し（ステップＳ３４）、通信に必要な情報が記憶内容として含まれている外部記憶媒体であることを識別した場合には、制御部７により、上記図２に示した電源オン時の処理で保存したＰＩＮの情報を用いてＰＩＮ照合を行う（ステップＳ３５）。
【００１７】
ここで、ＰＩＮ照合に成功した場合には、制御部７によりカードインタフェース部５を介して、当該外部記憶媒体Ａ２に記憶されたカードの製造番号の情報を読み出して、当該読み出した情報の値が上記図２に示した電源オン時の処理で保存したカードの製造番号の情報の値と一致するか否かを確認する（ステップＳ３６）。
これにより、カードの製造番号の情報値が一致することを確認した場合には、通信を許可して（ステップＳ３７）、制御部７により、その旨をユーザインタフェース部４から外部へ通知するとともに（ステップＳ３８）、通信を開始する。
【００１８】
一方、上記した一連の処理において、外部記憶媒体Ａ２から非応答であった（つまり、外部記憶媒体Ａ２からの応答が無かった）場合や（ステップＳ３３）、外部記憶媒体Ａ２に通信に必要な情報（本例では、加入者情報）が記憶されていなかった場合や（ステップＳ３４）、ＰＩＮ照合が失敗した場合や（ステップＳ３５）、カードの製造番号の情報値が不一致であった（つまり、一致しなかった）場合には（ステップＳ３６）、通信を不許可として（ステップＳ３９）、制御部７により、移動体通信端末装置Ａ１内のメモリである記憶部３に保存された加入者情報等のデータを消去するとともに（ステップＳ４０）、その旨をユーザインタフェース部４から外部へ通知する（ステップＳ３８）。なお、移動体通信端末装置Ａ１内のメモリである記憶部３からデータを消去する態様としては、例えば、接続された外部記憶媒体Ａ２から読み取って当該記憶部３に記憶したデータの全てを消去するような態様を用いることができ、具体的には、例えば、ＰＩＮの情報や、加入者識別情報等の加入者情報や、カードの製造番号の情報を消去するような態様を用いることができる。
【００１９】
次に、図５を参照して、本例の移動体通信端末装置Ａ１の電源がオフへ切り替えられたときにおいて、当該移動体通信端末装置Ａ１により行われる処理の手順の一例を示す。
例えば、ユーザインタフェース部４から入力される外部制御により電源オフの要求があると、移動体通信端末装置Ａ１は、電源オフの処理を開始する（ステップＳ５１）。
すなわち、制御部７により、移動体通信端末装置Ａ１が通信中である場合には当該通信回線の切断処理を行い（ステップＳ５２）、また、移動体通信端末装置Ａ１内のメモリである記憶部３に保存していたＰＩＮの情報、カードの製造番号の情報、加入者識別情報等の加入者情報を消去する（ステップＳ５３）。
そして、制御部７によりカードインタフェース部５を介して外部記憶媒体Ａ２の電源をオフとし（ステップＳ５４）、次いで、移動体通信端末装置Ａ１の電源をオフとする（ステップＳ５５）。
【００２０】
次に、図６を参照して、本例の移動体通信端末装置Ａ１において外部記憶媒体Ａ２との接続が非検出であった（つまり、検出されなかった）場合において、当該移動体通信端末装置Ａ１により行われる処理の手順の一例を示す。
例えば、移動体通信端末装置Ａ１では、カードインタフェース部５に対して外部記憶媒体Ａ２が接続されていないことがカード検出ＳＷ６により検出されると、外部記憶媒体Ａ２が接続されていないことを示す信号（カード非検出信号）がカード検出ＳＷ６から出力される。すると、当該カード非検出信号に応じて、制御部７により、外部記憶媒体Ａ２が非接続であることを識別し（ステップＳ６１）、これに応じて、制御部７により、移動体通信端末装置Ａ１内のメモリである記憶部３から加入者情報等のデータ（例えば、ＰＩＮの情報、カードの製造番号の情報、加入者識別情報等の加入者情報）を消去する（ステップＳ６２）。
そして、通信を不許可とする状態となり（ステップＳ６３）、制御部７により、その旨をユーザインタフェース部４から外部へ通知する（ステップＳ６４）。
【００２１】
以上のように、本例の移動体通信端末装置Ａ１では、挿入している外部記憶媒体（本例では、ＩＣカード）Ａ２への電源供給を制御することが可能な構成において、外部記憶媒体Ａ２の挿入後に、当該外部記憶媒体Ａ２に格納されている特定の情報を当該移動体通信端末装置Ａ１の内部の記憶部３へ転送して格納し、そして、当該外部記憶媒体Ａ２の抜き取りを検知した場合には、当該記憶部３に格納した当該特定の情報を参照不可能とする。
ここで、本例では、記憶部３に格納された特定の情報を参照不可能とする態様として、外部記憶媒体Ａ２の抜き取り時に、当該記憶部３に格納された当該特定の情報を当該記憶部３から消去する態様を用いたが、他の構成例として、外部記憶媒体Ａ２が挿入されていない状態では、制御部７が当該特定の情報を用いた制御を行わないように構成する態様を用いることも可能であり、つまり、記憶部３に格納された当該特定の情報を消去せずに、当該特定の情報が無いように見せかけるような態様を用いることも可能である。
また、本例では、外部記憶媒体Ａ２の抜き取りを検知する態様として、カード検出ＳＷ６により機構的に外部記憶媒体Ａ２の接続或いは非接続を判断する態様を用いたが、他の構成例として、外部記憶媒体Ａ２の接続部（例えば、カードインタフェース部５）に、外部記憶媒体Ａ２の接続或いは非接続を検知するためのポートなどを設けて判断を行うような態様を用いることも可能である。
【００２２】
具体的には、本例の移動体通信端末装置Ａ１では、例えば、加入者識別情報をＩＣカードやＳＩＭカード等の外部記憶媒体Ａ２から取得する機能を備えた構成において、外部記憶媒体Ａ２の電源や、外部記憶媒体Ａ２とのインタフェース部（カードインタフェース部５）の電源をオフにすることにより、当該移動体通信端末装置Ａ１の消費電流を低減することが可能である。
また、本例の移動体通信端末装置Ａ１では、例えば、ユーザインタフェース部４からの制御信号に応じて、外部記憶媒体Ａ２とのインタフェース部（カードインタフェース部５）の電源のオン或いはオフ（オン／オフ）を制御する。
また、本例の移動体通信端末装置Ａ１では、例えば、当該移動体通信端末装置Ａ１が通信や位置登録などの開始或いは終了（開始／終了）を認識して、自動的に、外部記憶媒体Ａ２とのインタフェース部（カードインタフェース部５）の電源のオン或いはオフ（オン／オフ）を制御する。
また、本例の移動体通信端末装置Ａ１では、例えば、外部記憶媒体Ａ２とのインタフェース部（カードインタフェース部５）の電源がオフである状態においても、カード検出ＳＷ６により、機械的に外部記憶媒体３の挿抜の状態（接続或いは非接続の状態）を認識することが可能である。
また、本例の移動体通信端末装置Ａ１では、例えば、外部記憶媒体Ａ２の挿抜を認識して、外部記憶媒体Ａ２が非接続であることを認識した場合には、取得した加入者識別情報などを当該移動体通信端末装置Ａ１上のメモリ（例えば、記憶部３）から消去することなどが可能である。
【００２３】
従って、本例の移動体通信端末装置Ａ１では、ＩＣカードやＳＩＭカードなどを加入者識別情報の記憶媒体（外部記憶媒体Ａ２）として使用する構成において、所定の条件に応じて外部記憶媒体Ａ２の電源や外部記憶媒体Ａ２とのインタフェース部（カードインタフェース部５）の電源をオフにする省電力モードの処理を実行することにより、外部記憶媒体Ａ２への電源供給による消費電流の増大を軽減することができ、消費電流低減による省電力化を図ることができる。
また、本例の移動体通信端末装置Ａ１では、外部記憶媒体Ａ２の非接続を検出した場合には当該外部記憶媒体Ａ２から読み出したメモリ内容を消去することなどにより、例えば、加入者識別情報を端末内部のメモリに読み出して使用可能に保存した移動体通信端末装置が複数存在するといった不整合を防止することができる。
また、本例の移動体通信端末装置Ａ１では、例えば、省電力モードにおいても、カードインタフェース部５の電気信号を使用せずに、カード検出ＳＷ６の機械的な構造により外部記憶媒体Ａ２の非接続を認識することができ、これにより、加入者識別情報などを当該移動体通信端末装置Ａ１のメモリ（例えば、揮発性メモリ）から速やかに消去することなどができ、同一の加入者識別情報を使用可能に格納した端末が複数存在するような不整合を防ぐことができる。
【００２４】
なお、本例の無線端末装置（移動体通信端末装置Ａ１）では、外部記憶媒体Ａ２と着脱自在に接続するための部分（図示せず）により外部記憶媒体接続部が構成されており、所定の情報を記憶する記憶部３の機能により所定情報記憶手段が構成されており、カード検出ＳＷ６の機能により外部記憶媒体非接続状態検出手段や外部記憶媒体接続状態検出手段が構成されており、外部記憶媒体Ａ２が非接続となった場合に制御部７が記憶部３に記憶された所定の情報を消去などする機能により所定情報使用不可制御手段が構成されており、無線部２の機能やアンテナ１の機能により無線通信手段が構成されており、制御部７がカードインタフェース部５を介して外部記憶媒体Ａ２から情報を読み出すなどする機能により外部記憶媒体情報通信手段が構成されており、制御部７がユーザインタフェース部４を介して外部から指示や情報を受け付ける機能により外部指示情報受付手段が構成されており、制御部７がカードインタフェース部５を介して外部記憶媒体Ａ２への電源の供給を制御する機能により電源供給制御手段が構成されており、制御部７が電源供給手段による制御により省電力モードの設定や解除を行う機能により省電力制御手段が構成されている。
また、本例の外部記憶媒体Ａ２では、所定の情報を記憶する内部のメモリの機能により所定情報記憶手段が構成されており、また、無線端末装置（移動体通信端末装置Ａ１）と着脱自在に接続するための部分（図示せず）により移動体通信端末装置接続部が構成されている。
【００２５】
ここで、本発明に係る無線端末装置や外部記憶媒体などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る無線端末装置や外部記憶媒体などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２６】
【図１】本発明の一実施例に係る移動体通信端末装置の構成例を示す図である。
【図２】移動体通信端末装置の電源オン時における処理の手順の一例を示す図である。
【図３】移動体通信端末装置の省電力モード時における処理の手順の一例を示す図である。
【図４】移動体通信端末装置の省電力モード解除時における処理の手順の一例を示す図である。
【図５】移動体通信端末装置の電源オフ時における処理の手順の一例を示す図である。
【図６】移動体通信端末装置のカード非検出時における処理の手順の一例を示す図である。
【符号の説明】
【００２７】
Ａ１・・移動体通信端末装置、  Ａ２・・外部記憶媒体、  １・・アンテナ、  ２・・無線部、  ３・・記憶部、  ４・・ユーザインタフェース部、  ５・・カードインタフェース部、  ６・・カード検出スイッチ（カード検出ＳＷ）、
【図１】
2005151339.tif 000003
【図２】
2005151339.tif 000004
【図３】
2005151339.tif 000005
【図４】
2005151339.tif 000006
【図５】
2005151339.tif 000007
【図６】
2005151339.tif 000008